【手続補正書】
【提出日】平成24年8月8日(2012.8.8)
【手続補正１】
【補正対象書類名】特許請求の範囲
【補正対象項目名】全文
【補正方法】変更
【補正の内容】
【特許請求の範囲】
【請求項１】
入力信号に対し画像圧縮処理を行うとともに圧縮率に応じて変化する制御信号を出力する圧縮処理手段と、
圧縮された映像データを記録メディアに記録するアクセス手段と、
記録された映像データを記録メディアから前記アクセス手段を介して再生し、伸張処理をおこなった再生信号について信号処理を行う信号処理手段と
を有し、
前記信号処理手段は、入力画像の特定の周波数帯域近傍の成分を取り出した第１の中間画像を生成する第１の中間画像生成手段と、前記第１の中間画像を処理した第２の中間画像を生成する第２の中間画像生成手段と、前記入力画像と前記第２の中間画像を加算する第１の加算手段を有し、
前記第１の中間画像生成手段は、前記入力画像の高周波数成分のみを取り出した第１の高周波数成分画像を生成し、前記圧縮処理手段からの制御信号に応じて抽出する信号の周波数成分を変更する第１の高周波数成分画像生成手段と、前記第１の高周波数成分画像の低周波数成分のみを取り出し、前記圧縮処理手段からの制御信号に応じて抽出する信号の周波数成分を変更する低周波数成分画像生成手段を有し、
前記第２の中間画像生成手段は、前記第１の中間画像の各画素値を画素に応じて変化させた増幅率で増幅した非線形処理画像を生成する非線形処理手段と、前記非線形処理画像の高周波数成分のみを取り出した第２の高周波数成分画像を生成し、前記拡大処理手段からの制御信号に応じて抽出する信号の周波数成分を変更する第２の高周波数成分画像生成手段と、前記第１の中間画像と前記第２の高周波数成分画像を加算する第２の加算手段とを有し、前記制御信号の値により、抽出する信号帯域設定を変更し、
前記非線形処理手段は、前記第１の中間画像のゼロクロス点の隣の各画素値を１より大きい増幅率で増幅した非線形処理画像を生成する
ことを特徴とする映像記録再生装置。
【請求項２】
前記第１の高周波数成分画像生成手段は、
前記入力画像の各画素の水平方向近傍に存在する画素を用いて高周波数成分を取り出した第１の水平方向高周波数成分画像を生成する第１の水平方向高周波数成分画像生成手段と、
前記入力画像の各画素の垂直方向近傍に存在する画素を用いて高周波数成分を取り出した第１の垂直方向高周波数成分画像を生成する第１の垂直方向高周波数成分画像生成手段と
を有し、
前記低周波数成分画像生成手段は、
前記第１の水平方向高周波数成分画像の低周波数成分のみを取り出した第１の水平方向中間画像を生成する水平方向低周波数成分画像生成手段と、
前記第１の垂直方向高周波数成分画像の低周波数成分のみを取り出した第１の垂直方向中間画像を生成する垂直方向低周波数成分画像生成手段と
を有することを特徴とする請求項１記載の映像記録再生装置。
【請求項３】
前記非線形処理手段は、
前記第１の水平方向中間画像のゼロクロス点の隣の各画素値を１より大きい増幅率で増幅した水平方向非線形処理画像を生成する水平方向非線形処理手段と、
前記第１の垂直方向中間画像のゼロクロス点の隣の各画素値を１より大きい増幅率で増幅した垂直方向非線形処理画像を生成する垂直方向非線形処理手段を有し、
前記第２の高周波数成分画像生成手段は、
前記水平方向非線形処理画像の高周波数成分のみを取り出した第２の水平方向高周波数成分画像を生成する第２の水平方向高周波数成分画像生成手段と、
前記垂直方向非線形処理画像の高周波数成分のみを取り出した第２の垂直方向高周波数成分画像を生成する第２の垂直方向高周波数成分画像生成手段と
を有することを特徴とする請求項１記載の映像記録再生装置。
【請求項４】
前記水平方向非線形処理手段は、
前記第１の水平方向中間画像の画素値が正から負もしくは負から正へと変化する箇所をゼロクロス点として判定する水平方向ゼロクロス点判定手段と、
前記水平方向ゼロクロス点判定手段の判定結果に応じて前記第１の水平方向中間画像の各画素に対する増幅率を決定する水平方向信号増幅手段と
を有し、
前記垂直方向非線形処理手段は、
前記第１の垂直方向中間画像の画素値が正から負もしくは負から正へと変化する箇所をゼロクロス点として判定する垂直方向ゼロクロス点判定手段と、
前記垂直方向ゼロクロス点判定手段の判定結果に応じて前記第１の垂直方向中間画像の各画素に対する増幅率を決定する垂直方向信号増幅手段と
を有することを特徴とする請求項３記載の映像記録再生装置。
【請求項５】
記録メディアに圧縮され記録された映像データを再生するアクセス手段と、
前記映像データの伸張処理をおこなう際、映像データの圧縮率に応じて変化する制御信号を出力する伸張処理手段と、
再生信号について信号処理を行う信号処理手段と
を有し、
前記信号処理手段は、入力画像の特定の周波数帯域近傍の成分を取り出した第１の中間画像を生成する第１の中間画像生成手段と、前記第１の中間画像を処理した第２の中間画像を生成する第２の中間画像生成手段と、前記入力画像と前記第２の中間画像を加算する第１の加算手段を有し、
前記中間画像生成手段は、前記第１の中間画像の画素に応じて処理の内容を変化させる非線形処理手段を含み、
前記第１の中間画像生成手段は、前記入力画像の高周波数成分のみを取り出した第１の高周波数成分画像を生成し、前記伸張処理手段からの制御信号に応じて抽出する信号の周波数成分を変更する第１の高周波数成分画像生成手段と、前記第１の高周波数成分画像の低周波数成分のみを取り出し、前記伸張処理手段からの制御信号に応じて抽出する信号の周波数成分を変更する低周波数成分画像生成手段を有し、
前記第２の中間画像生成手段は、前記非線形処理画像の高周波数成分のみを取り出した第２の高周波数成分画像を生成し、前記伸張処理手段からの制御信号に応じて抽出する信号の周波数成分を変更する第２の高周波数成分画像生成手段と、前記第１の中間画像と前記第２の高周波数成分画像を加算する第２の加算手段をさらに有することを特徴とする映像再生装置。
【請求項６】
入力画像データを、圧縮処理ステップにて画像圧縮処理をおこない、信号処理ステップにて信号処理をおこなう映像記録再生方法において、
前記信号処理ステップが、
前記画像入力信号の特定の周波数帯域近傍の成分を取り出して第１の中間画像を生成する中間画像生成ステップと、
前記第１の中間画像に非線形処理を施して生成した高周波数成分を加算した第２の中間画像を生成する中間画像生成ステップと、
前記画像入力画像と前記第２の中間画像を加算して前記映像出力信号を生成する加算手段ステップからなり、
前記中間画像生成ステップは、前記第１の中間画像の画素に応じて処理の内容を変化させる非線形処理ステップを含み、
前記圧縮処理ステップにおける圧縮率に応じて、第１の中間画像を生成する中間画像生成ステップと第２の中間画像を生成する中間画像生成ステップにおいて生成する中間画像を調整することにより強調処理の度合いを変更した映像信号を再生することを特徴とする映像記録再生方法。
【手続補正２】
【補正対象書類名】明細書
【補正対象項目名】０００９
【補正方法】変更
【補正の内容】
【０００９】
本発明は上述のような課題を解消するためになされたもので、本発明の映像再生装置および映像記録再生装置は、
入力信号に対し画像圧縮処理を行うとともに圧縮率に応じて変化する制御信号を出力する圧縮処理手段と、圧縮された映像データを記録メディアに記録するアクセス手段と、記録された映像データを記録メディアからアクセス手段を介して再生し、伸張処理をおこなった再生信号について信号処理を行う信号処理手段とを有し、
信号処理手段は、入力画像の特定の周波数帯域近傍の成分を取り出した第１の中間画像を生成する第１の中間画像生成手段と、第１の中間画像を処理した第２の中間画像を生成する第２の中間画像生成手段と、入力画像と第２の中間画像を加算する第１の加算手段を有し、
第１の中間画像生成手段は、入力画像の高周波数成分のみを取り出した第１の高周波数成分画像を生成し、圧縮処理手段からの制御信号に応じて抽出する信号の周波数成分を変更する第１の高周波数成分画像生成手段と、第１の高周波数成分画像の低周波数成分のみを取り出し、圧縮処理手段からの制御信号に応じて抽出する信号の周波数成分を変更する低周波数成分画像生成手段を有し、
第２の中間画像生成手段は、第１の中間画像の各画素値を画素に応じて変化させた増幅率で増幅した非線形処理画像を生成する非線形処理手段と、非線形処理画像の高周波数成分のみを取り出した第２の高周波数成分画像を生成し、拡大処理手段からの制御信号に応じて抽出する信号の周波数成分を変更する第２の高周波数成分画像生成手段と、第１の中間画像と第２の高周波数成分画像を加算する第２の加算手段とを有し、制御信号の値により、抽出する信号帯域設定を変更し、
前記非線形処理手段は、前記第１の中間画像のゼロクロス点の隣の各画素値を１より大きい増幅率で増幅した非線形処理画像を生成するものである。